(57)【特許請求の範囲】
【請求項１】
Ｘ線の照射範囲を調整する２組の可動リーフと、前記２組の可動リーフの開閉機構をそれぞれ動作させるための２個の操作つまみと、前記可動リーフを収納するケースを備えたＸ線可動絞りにおいて、前記ケースの前記２個の操作つまみが取り付けられた面と反対の面に、前記２個の操作つまみとそれぞれ同様に前記２組の可動リーフの開閉機構を動作させる別の２個の操作つまみを設け、一方と他方の面に設けたそれぞれ2個の操作つまみにおいて同じ機能を備えた操作つまみが互いに対角状に配置されていることを特徴とするＸ線可動絞り。
【請求項２】
Ｘ線の照射範囲を縦方向と横方向で調整する１組の縦リーフと１組の横リーフと、前記１組の縦リーフの開閉機構を動作させるための第１の縦開閉つまみと、前記１組の横リーフの開閉機構を動作させるための第１の横開閉つまみと、これらのリーフを収納するケースを備えたＸ線可動絞りにおいて、前記ケースの前記２個の操作つまみが取り付けられた面と反対の面に同じ機能を備えた第２の縦開閉つまみと第２の横開閉つまみがそれぞれ第１の縦開閉つまみと第2の横開閉つまみに対して対角状に取り付けられており、
前記第１、第２の縦開閉つまみの回転軸に互いに逆まわりで巻きつけられ、前記ケースの４隅に設けられたプーリーを介してループ上に取り付けられた縦リーフ用ワイヤと
前記第１、第２の横開閉つまみの回転軸に互いに逆まわりで巻きつけられ、前記ケースの４隅に設けられた前記プーリーとは別の４隅に設けられたプーリーを介してループ上に取り付けられた横リーフ用ワイヤと、
対向して前記縦リーフ用ワイヤに取り付けられると共に、前記縦リーフ用ワイヤの移動に伴い前記一組の縦リーフを開閉するよう前記一組の縦リーフにそれぞれ当接させた一対の縦リーフ用スライダと、
対向して前記横リーフ用ワイヤに取り付けられると共に、前記横リーフ用ワイヤの移動に伴い前記一組の横リーフを開閉するよう前記一組の横リーフにそれぞれ当接させた一対の横リーフ用スライダと、
を備えることで、
前記第１、第２の縦開閉つまみのいずれかを回転させることにより、前記縦リーフを開閉し、前記第１、第２の横開閉つまみのいずれかを回転させることにより、前記横リーフを開閉するよう構成したことを特徴とするＸ線可動絞り。
【請求項３】
前部に回動自在に取り付けた支柱と、前記支柱に取り付けられたＸ線管保持腕と、前記Ｘ線管保持腕の先端に取り付けられたＸ線管を備え、請求項１及び２記載のＸ線可動絞りが、前記つまみを設けた面の一方が前記Ｘ線管保持腕の長手方向前部を、また他方が同後部を向くよう前記Ｘ線管に取り付けられていることを特徴とする回診用Ｘ線撮影装置。
【発明の詳細な説明】
【技術分野】
【０００１】
本発明はＸ線透視撮影装置に用いられるＸ線可動絞り関する。
【背景技術】
【０００２】
Ｘ線可動絞りは、Ｘ線撮影を行うとき被写体の必要な領域のみにＸ線を照射し無駄な被爆を防止するために照射範囲を調整するためのものである。以下図５、図６により一般的なＸ線可動絞りの構成例について説明する。ここで図５はＸ線可動絞り１の外観を示す図であり、図６（ａ）は図５の切断面Ａにより切断されたＸ線可動絞り１を上から見て本発明に関係する部分を示した図である。また図６（ｂ）は図６（ａ）のＡ−Ａ断面図であり同じく本発明に関係する部分を示した図である。なお通常Ｘ線可動絞りはＸ線の照射範囲を光で示す機能を有しているが、この機能は本発明とは特に関係ないので説明は省略する。図５に示すようにＸ線可動絞り１は通常直方体のケース２を有しており、その上面中央部にはＸ線管（図示しない）前面に回転可能に取り付けるための絞り回転部３が設けられている。またケース２の側面にはＸ線の照射範囲を調整するための縦開閉つまみ７および横開閉つまみ８が取り付けられている。
【０００３】
そしてＸ線管から照射されたＸ線が吸収されることなくＸ線可動絞り１を通過できるようにケース２の上面および下面の中央部は適当な広さで切り取られており、絞り回転部３の中央にも孔４が設けられている。さらにＸ線可動絞り１の内部には、図６（ａ）に示すように、通過するＸ線の一部を遮蔽して照射範囲を調整するために、鉛等のＸ線吸収体で構成され互いに平行に配置された２枚の矩形の縦リーフ１７およびこれらと直行して互いに平行に配置された２枚の矩形の横リーフ２１が設けられており、縦リーフ１７と横リーフ２１に囲まれる矩形の空間がＸ線の照射範囲を形成している。
【０００４】
次に図６により上述のＸ線の照射範囲を調整する機構の例について説明する。ケース２の内部には図６（ａ）に示すように２個の矩形のそれぞれの４隅にあたる位置に配置され、その中心軸がケース２に支持された各４個のプーリ９およびプーリ１４が存在する。そして４個のプーリ９に外接して横リーフ用ワイヤ１１が、また４個のプーリ１４に外接して縦リーフ用ワイヤ１０がたるみなく張られており、縦リーフ用ワイヤ１０の両端部はケース２の前面部に回転可能に取り付けられた縦開閉つまみ７の回転軸７Ａに互いに逆まわりで適当回数巻きつけられた後固定され、横リーフ用ワイヤ１１の両端部も横開閉つまみ８の回転軸８Ａに同様の方法で固定されている。
【０００５】
また縦リーフ用ワイヤ１０が形成する矩形の上辺および下辺にはそれぞれ縦リーフ用スライダ１２が矩形の中心に対してほぼ点対称になる位置に取り付けられており、横リーフ用ワイヤ１１が形成する矩形の左辺および右辺にはそれぞれ横リーフ用スライダ１３が矩形の中心に対してほぼ点対称になる位置に取り付けられている。これにより縦開閉つまみ７を回転させるとその回転方向に応じて２個の縦リーフ用スライダ１２が互いにほぼ点対称の関係を保ちながら図の左右いずれかにスライドし、横開閉つまみ８を回転させるとその回転方向に応じて２個の横リーフ用スライダ１３が互いにほぼ点対称の関係を保ちながら図の上下いずれかにスライドする。
【０００６】
縦リーフ用スライダ１２および横リーフ用スライダ１３がスライドすることによりＸ線の矩形の照射範囲の縦および横の幅が調整されるが、縦横の幅はどちらも同じ方法で調整されるので、以下で２枚の縦リーフ１７による横幅の調整について説明する。図６（ａ）に示す縦リーフ用ワイヤ１０が形成する矩形の上辺および下辺のやや内側の両辺に平行で紙面に垂直なそれぞれの面上に縦リーフ支持腕１５が、図６（ｂ）に示す支点１６を中心に回転可能にケース２に支持されている。そして各縦リーフ支持腕１５の支点１６と反対側の端部に鉛等のＸ線吸収体で構成された矩形の縦リーフ１７がいずれも縦リーフ支持腕１５に垂直にかつ縦リーフ用ワイヤ１０が形成する矩形の内側方向に取り付けられている。
【０００７】
また２個の縦リーフ用スライダ１２はその中央部に自身に垂直でかつ縦リーフ用ワイヤ１０が形成する矩形の内側に向いた円柱状のピン１２Ａを有している。そして各縦リーフ支持腕１５には、図６（ｂ）に示すように、それぞれピン１２Ａの直径よりやや広い幅の長穴１８が設けられており、２個の縦リーフ用スライダ１２のそれぞれのピン１２Ａがそれぞれの縦リーフ支持腕１５の長穴１８を通り抜けるように配置されている。このような構造により、縦開閉つまみ７を左右いずれかに回転させると２個の縦リーフ用スライダ１２がスライドし、縦開閉つまみ７の回転方向に応じて２個の縦リーフ１７がそれぞれの支点１６を中心にした円上を互いに接近する方向または離れる方向に移動してＸ線の矩形の照射範囲の横の幅が調整される。なお図６において図５と同じ符号で示される部品等は図５と同一であり説明は省略する。
【０００８】
このようなＸ線可動絞り１をＸ線撮影装置、特に移動式Ｘ線撮影装置に取り付けた例を図４に示す。３０は移動式Ｘ線撮影装置の一種である回診用Ｘ線撮影装置で、その前部に回転自在に取り付けられた支柱３４に上下動可能に取り付けられた伸縮可能なＸ線管保持腕３５の先端にＸ線管３１が取り付けられ、さらにＸ線管３１にＸ線可動絞り１が取り付けられている。回診用Ｘ線撮影装置３０は移動可能なので病室のベッド３３に載置された被検者３２の近傍まで移動させた後、被検者３２とベッド３３の間にフィルムを内蔵したカセッテ等のＸ線受光部（図示しない）を配置し、Ｘ線管３１を被検者３２の上方の適当な位置に配置して、Ｘ線可動絞り１の前面部に取り付けられた縦開閉つまみ７および横開閉つまみ８を操作することによりＸ線の照射範囲が調整される。
【０００９】
このとき図４に示した壁が存在しなければ、操作者（図示しない）は壁の側にまわって容易にＸ線可動絞り１の前面部に取り付けられた縦開閉つまみ７および横開閉つまみ８を操作することができるが、病室では図４に示す位置に壁が存在する等の理由で操作者がＸ線可動絞り１の前面部側に立つことができないことも多い。このような場合Ｘ線可動絞り１をＸ線管３１に取り付けた状態で１８０度回転させて縦開閉つまみ７および横開閉つまみ８を回診用Ｘ線撮影装置３０側に向けることもできるが、通常そのための操作は容易ではない。また回転のためにはＸ線可動絞り１に接続されるケーブル（図示しない）をたるませておく必要があるが、このケーブルのたるみは回診用Ｘ線撮影装置３０の操作の邪魔になるものである。
【００１０】
そのため図７に示すようにＸ線可動絞り１の前面部および後面部の両方に縦開閉つまみ７および横開閉つまみ８を配置し、前面部および後面部の対応するつまみ同士をそれぞれ連結軸１９および２０で連結して前面部および後面部のどちらからも操作できるようにしたものも考案されている（例えば特許文献１参照）。なお図７において図５と同じ符号で示される部品等は図５と同一であり説明は省略する。
【特許文献１】特開２００４−１２１４０７号公報
【発明の開示】
【発明が解決しようとする課題】
【００１１】
Ｘ線の照射範囲を調整する縦開閉つまみおよび横開閉つまみは操作しやすいようにＸ線可動絞りの前面部に取り付けられているが、上述したようにＸ線可動絞りをＸ線撮影装置、特に移動式Ｘ線撮影装置に取り付けて使用する場合、前面部が病室の壁等に近接して配置されつまみの操作が困難な場合が生じる。このような場合Ｘ線可動絞りをＸ線管に取り付けた状態で１８０度回転させて縦開閉つまみおよび横開閉つまみを回診用Ｘ線撮影装置側に向けることもできるが、通常そのための操作は容易ではなく、また回転のためにはＸ線可動絞りに接続されるケーブルをたるませておく必要があり、これは回診用Ｘ線撮影装置の操作の邪魔になるので好ましくない。
【００１２】
そのためＸ線可動絞りの前面部および後面部の両方に縦開閉つまみおよび横開閉つまみを配置し、前面部および後面部の対応するつまみ同士をそれぞれ連結軸で連結して前面部および後面部のどちらからも操作できるようにしたものも考案されているが、この方法では前後面でつまみが左右逆に配置されてしまい、またつまみを回す方向も前後面で逆になってしまう。そのため前後面で逆の操作が必要になり、つまみの操作が難しくなるという問題があった。本発明はこれらの問題を解決するためのものである。
【課題を解決するための手段】
【００１３】
請求項１記載の発明は上記の目的を達成するために、Ｘ線の照射範囲を調整する２組の可動リーフと、前記２組の可動リーフの開閉機構をそれぞれ動作させるための２個の操作つまみと、前記可動リーフを収納するケースを備えたＸ線可動絞りにおいて、前記ケースの前記２個の操作つまみが取り付けられた面と反対の面に、前記２個の操作つまみとそれぞれ同様に前記２組の可動リーフの開閉機構を動作させる別の２個の操作つまみを設け、一方と他方の面に設けたそれぞれ2個の操作つまみにおいて同じ機能を備えた操作つまみが互いに対角状に配置されているＸ線可動絞りである。
また、請求項２にかかる発明は、Ｘ線の照射範囲を縦方向と横方向で調整する１組の縦リーフと１組の横リーフと、前記１組の縦リーフの開閉機構を動作させるための第１の縦開閉つまみと、前記１組の横リーフの開閉機構を動作させるための第１の横開閉つまみと、これらのリーフを収納するケースを備えたＸ線可動絞りにおいて、前記ケースの前記２個の操作つまみが取り付けられた面と反対の面に同じ機能を備えた第２の縦開閉つまみと第２の横開閉つまみがそれぞれ第１の縦開閉つまみと第2の横開閉つまみに対して対角状に取り付けられており、
前記第１、第２の縦開閉つまみの回転軸に互いに逆まわりで巻きつけられ、前記ケースの４隅に設けられたプーリーを介してループ上に取り付けられた縦リーフ用ワイヤと
前記第１、第２の横開閉つまみの回転軸に互いに逆まわりで巻きつけられ、前記ケースの４隅に設けられた前記プーリーとは別の４隅に設けられたプーリーを介してループ上に取り付けられた横リーフ用ワイヤと、
対向して前記縦リーフ用ワイヤに取り付けられると共に、前記縦リーフ用ワイヤの移動に伴い前記一組の縦リーフを開閉するよう前記一組の縦リーフにそれぞれ当接させた一対の縦リーフ用スライダと、
対向して前記横リーフ用ワイヤに取り付けられると共に、前記横リーフ用ワイヤの移動に伴い前記一組の横リーフを開閉するよう前記一組の横リーフにそれぞれ当接させた一対の横リーフ用スライダと、
を備えることで、
前記第１、第２の縦開閉つまみのいずれかを回転させることにより、前記縦リーフを開閉し、前記第１、第２の横開閉つまみのいずれかを回転させることにより、前記横リーフを開閉するよう構成したことを特徴とするＸ線可動絞りである。
さらに、請求項３にかかる発明は、前部に回動自在に取り付けた支柱と、前記支柱に取り付けられたＸ線管保持腕と、前記Ｘ線管保持腕の先端に取り付けられたＸ線管を備え、請求項１及び２記載のＸ線可動絞りが、前記つまみを設けた面の一方が前記Ｘ線管保持腕の長手方向前部を、また他方が同後部を向くよう前記Ｘ線管に取り付けられていることを特徴とする回診用Ｘ線撮影装置である。
【発明の効果】
【００１４】
本発明によりＸ線可動絞りの前後面の両方につまみが配置されるので、操作者はＸ線可動絞りの前後方向のどちらからでもＸ線の照射範囲を調整することができる。またつまみを回す方向およびつまみの配置が前後面で同じになるため、従来の装置に比べて操作者にとって使いやすい装置になる。
【発明を実施するための最良の形態】
【００１５】
本発明の実施例について図１〜図３を用いて説明する。ここで図３は本発明によるＸ線可動絞り５１の外観を示す図であり、図１は図３の切断面Ａにより切断されたＸ線可動絞り５１を上から見て本発明に関係する部分を示した図である。また図２は図１のＡ−Ａ断面図であり、同じく本発明に関係する部分を示した図である。ただし図１〜図３において図５、図６と同じ符号で示される部品等は図５、図６と同じものなのでそれらについての説明は省略する。
【００１６】
図３に示すようにＸ線可動絞り５１は通常直方体のケース２を有しており、その上面中央部にはＸ線管（図示しない）前面に回転可能に取り付けるための絞り回転部３が設けられている。そしてＸ線管から照射されたＸ線が吸収されることなくＸ線可動絞り５１を通過できるようにケース２の上面および下面の中央部は適当な広さで切り取られており、絞り回転部３の中央にも孔４が設けられている。さらにＸ線可動絞り５１の内部には、図１に示すように、通過するＸ線の一部を遮蔽して照射範囲を調整するために、鉛等のＸ線吸収体で構成され互いに平行に配置された２枚の矩形の縦リーフ１７およびこれらと直行して互いに平行に配置された２枚の矩形の横リーフ２１が設けられており、縦リーフ１７と横リーフ２１に囲まれる矩形の空間がＸ線の照射範囲を形成している。
【００１７】
次に図１および図２により上述のＸ線の照射範囲を調整する機構の例について説明する。ケース２の内部には図１に示すように２個の矩形のそれぞれの４隅にあたる位置に配置され、その中心軸がケース２に支持された各４個のプーリ９およびプーリ１４が存在する。そして４個のプーリ９に外接して横リーフ用ワイヤ１１が、また４個のプーリ１４に外接して縦リーフ用ワイヤ１０がたるみなく張られており、縦リーフ用ワイヤ１０の両端部はケース２の前面部に回転可能に取り付けられた縦開閉つまみ７の回転軸７Ａに互いに逆まわりで適当回数巻きつけられた後固定され、横リーフ用ワイヤ１１の両端部も横開閉つまみ８の回転軸８Ａに同様の方法で固定されている。
【００１８】
ただし本発明によるＸ線可動絞り５１ではケース２の後面部にも、図３に示すように縦開閉つまみ７と同じ構成の縦開閉つまみ４７および横開閉つまみ８と同じ構成の横開閉つまみ４８が、ケース２の前面と同じ配置で回転可能に取り付けられており、図１に示すように縦開閉つまみ４７の回転軸４７Ａには４個のプーリ１４に外接する縦リーフ用ワイヤ１０がたるみ無く複数回巻き付けられ、横開閉つまみ４８の回転軸４８Ａには４個のプーリ９に外接する横リーフ用ワイヤ１１がたるみ無く複数回巻き付けられている。
【００１９】
そして縦リーフ用ワイヤ１０が形成する矩形の上辺および下辺にはそれぞれ縦リーフ用スライダ１２が矩形の中心に対してほぼ点対称になる位置に取り付けられており、横リーフ用ワイヤ１１が形成する矩形の左辺および右辺にはそれぞれ横リーフ用スライダ１３が矩形の中心に対してほぼ点対称になる位置に取り付けられている。これにより縦開閉つまみ７または４７を回転させるとその回転方向に応じて２個の縦リーフ用スライダ１２が互いにほぼ点対称の関係を保ちながら図の左右いずれかにスライドし、横開閉つまみ８または４８を回転させるとその回転方向に応じて２個の横リーフ用スライダ１３が互いにほぼ点対称の関係を保ちながら図の上下いずれかにスライドする。
【００２０】
縦リーフ用スライダ１２および横リーフ用スライダ１３がスライドすることによりＸ線の矩形の照射範囲の縦および横の幅が調整されるが、縦横の幅はどちらも同じ方法で調整されるので、以下で２枚の縦リーフ１７による横幅の調整について説明する。図１に示す縦リーフ用ワイヤ１０が形成する矩形の上辺および下辺のやや内側の両辺に平行で紙面に垂直なそれぞれの面上に縦リーフ支持腕１５が、図２に示す支点１６を中心に回転可能にケース２に支持されている。そして各縦リーフ支持腕１５の支点１６と反対側の端部に鉛等のＸ線吸収体で構成された矩形の縦リーフ１７がいずれも縦リーフ支持腕１５に垂直にかつ縦リーフ用ワイヤ１０が形成する矩形の内側方向に取り付けられている。
【００２１】
また２個の縦リーフ用スライダ１２はその中央部に自身に垂直でかつ縦リーフ用ワイヤ１０が形成する矩形の内側に向いた円柱状のピン１２Ａを有している。そして各縦リーフ支持腕１５には、図２に示すように、それぞれピン１２Ａの直径よりやや広い幅の長穴１８が設けられており、２個の縦リーフ用スライダ１２のそれぞれのピン１２Ａがそれぞれの縦リーフ支持腕１５の長穴１８を通り抜けるように配置されている。このような構造により、縦開閉つまみ７または４７を左右いずれかに回転させると２個の縦リーフ用スライダ１２がスライドし、縦開閉つまみ７または４７の回転方向に応じて２個の縦リーフ１７がそれぞれの支点１６を中心にした円上を互いに接近する方向または離れる方向に移動してＸ線の矩形の照射範囲の横の幅が調整される。
【００２２】
上記のような構成によりＸ線可動絞り５１の前後面の両方につまみが配置されるので、操作者はＸ線可動絞り５１の前後方向のどちらからでもＸ線の照射範囲を調整することができる。またつまみを回す方向およびつまみの配置が前後面で同じになるため操作者にとって使いやすい装置になる。
【産業上の利用可能性】
【００２３】
本発明はＸ線透視撮影装置に用いられるＸ線可動絞り関する。
【図面の簡単な説明】
【００２４】
【図１】本発明によるＸ線可動絞りの構成例を示す図である。
【図２】本発明によるＸ線可動絞りの構成例を示す図である。
【図３】本発明によるＸ線可動絞りの外観例を示す図である。
【図４】移動式Ｘ線撮影装置にＸ線可動絞りを取り付けた例を示す図である。
【図５】従来のＸ線可動絞りの例を示す図である。
【図６】従来のＸ線可動絞りの構成例を示す図である。
【図７】従来のＸ線可動絞りの別の例を示す図である。
【符号の説明】
【００２５】
１：Ｘ線可動絞り
２：ケース
３：絞り回転部
４：孔
７：縦開閉つまみ
７Ａ：回転軸
８：横開閉つまみ
８Ａ：回転軸
９：プーリ
１０：縦リーフ用ワイヤ
１１：横リーフ用ワイヤ
１２：縦リーフ用スライダ
１２Ａ：ピン
１３：横リーフ用スライダ
１４：プーリ
１５：縦リーフ支持腕
１６：支点
１７：縦リーフ
１８：長穴
１９：連結軸
２０：連結軸
２１：横リーフ
３０：回診用Ｘ線撮影装置
３１：Ｘ線管
３２：被検者
３３：ベッド
３４：支柱
３５：Ｘ線管保持腕
４７：縦開閉つまみ
４７Ａ：回転軸
４８：横開閉つまみ
４８Ａ：回転軸
５１：Ｘ線可動絞り
【図１】
0004992653.tif 000002
【図２】
0004992653.tif 000003
【図３】
0004992653.tif 000004
【図４】
0004992653.tif 000005
【図５】
0004992653.tif 000006
【図６】
0004992653.tif 000007
【図７】
0004992653.tif 000008